(57)【要約】【課題】輻射された遠赤外線の輻射効率を向上させて遠赤外線浴時の室温を体温に近い温度とすることができる遠赤外線浴装置を提供する。【解決手段】遠赤外線を輻射する床面２０と、床面２０から輻射される遠赤外線を反射する為の層が形成された周辺壁面３０及び天井壁面４０とに囲まれた遠赤外線浴装置１０において、遠赤外線浴装置１０内の空間内側から外側方向へ順に、床面２０から輻射される遠赤外線を反射する為のセラミック層３１と、セラミック層３１にて反射されなかった遠赤外線を反射する為の反射層３２と、遠赤外線に伴う輻射熱を反射する為の壁部断熱層３３とを備える層を、周辺壁面３０及び天井壁面４０に形成する。【選択図】図７
2008307327.tif 000002
【特許請求の範囲】
【請求項１】
上層部一面に配設されて遠赤外線を輻射する遠赤外線プレートと、該遠赤外線プレートに埋設されて該遠赤外線プレートを暖める発熱装置と、上記遠赤外線プレートの下一面に配設されて該遠赤外線プレートから輻射される遠赤外線に伴う輻射熱を反射する為の床部断熱層とから形成された床面と、
上記遠赤外線プレートから輻射される遠赤外線を反射する為の層が形成された周辺壁面及び天井壁面とに囲まれ、上記床面と上記周辺壁面及び天井壁面とに囲まれた空間内に遠赤外線を浴びせられる遠赤外線浴装置において、
上記周辺壁面及び天井壁面に形成された層は、
上記空間内側から外側方向へ順に、
上記遠赤外線プレートから輻射される遠赤外線を反射する為のセラミック層と、
該セラミック層にて反射されなかった上記遠赤外線を反射する為の反射層と、
上記遠赤外線に伴う輻射熱を反射する為の壁部断熱層と
を、備えていることを特徴とする遠赤外線浴装置。
【請求項２】
上記反射層は、遠赤外線を輻射する遠赤外線パウダを含ませた不織布と電磁波遮断シートとを貼り合わせて形成された反射シートであり、上記不織布よりも外側に上記電磁波遮断シートが備えられることを特徴とする請求項１に記載の遠赤外線浴装置。
【請求項３】
上記壁部断熱層は、断熱板の厚さ方向両面にアルミ箔が貼り合わされた断熱材であることを特徴とする請求項１または２に記載の遠赤外線浴装置。
【請求項４】
上記周辺壁面及び天井壁面に形成された層は、上記反射層と同一に構成された第２反射層を上記壁部断熱層よりも外側に更に備えていることを特徴とする請求項１乃至３の何れかに記載の遠赤外線浴装置。
【請求項５】
上記周辺壁面及び天井壁面に形成された層は、躯体として機能する木製合板を上記第２反射層よりも外側に更に備えていることを特徴とする請求項４に記載の遠赤外線浴装置。
【請求項６】
上記周辺壁面及び天井壁面に形成された層は、躯体として機能する第２木製合板を上記セラミック層と上記反射層との間に更に備えていることを特徴とする請求項５に記載の遠赤外線浴装置。
【請求項７】
上記セラミック層は、一部分が上記第２木製合板に貼り付けられた複数のセラミック材で形成され、他部分が上記第２木製合板に塗布された遠赤外線パウダの塗り壁で形成されていることを特徴とする請求項６に記載の遠赤外線浴装置。
【請求項８】
上記遠赤外線プレートは、上記発熱装置を埋設する為の溝が形成された溝付プレートと、上記床面の表面を形成する為の床部表面プレートとを備えており、
上記溝付プレートの上記溝に上記発熱装置が埋設され、該発熱装置が埋設された後に遠赤外線パウダが配合されたセメントを用いて該溝が埋められ、該溝付プレートの上一面に上記床部表面プレートが配設されることで上記遠赤外線プレートが形成されることを特徴とする請求項１乃至７の何れかに記載の遠赤外線浴装置。
【請求項９】
上記発熱装置は、ケーブル自体が外気温を感知し自動的に電気量を増減することが可能な自己制御型のヒータであることを特徴とする請求項８に記載の遠赤外線浴装置。
【請求項１０】
上記床部断熱層は、断熱板の厚さ方向両面にアルミ箔が貼り合わされた断熱材であることを特徴とする請求項８または９に記載の遠赤外線浴装置。
【請求項１１】
上記床面は、上記反射層と同一に構成された床部反射層を上記溝付プレートと上記床部断熱層との間に更に備えていることを特徴とする請求項８乃至１０の何れかに記載の遠赤外線浴装置。
【請求項１２】
住宅内の既設の床面上に設けることが可能であることを特徴とする請求項１乃至１１の何れかに記載の遠赤外線浴装置。
【請求項１３】
上層部一面に配設される遠赤外線プレートと、該遠赤外線プレートに埋設される発熱装置と、上記遠赤外線プレートの下一面に配設される床部断熱層とから形成された床面と、
複数の層から形成された周辺壁面及び天井壁面とに囲まれ、
上記床面と上記周辺壁面及び天井壁面とに囲まれた空間内に遠赤外線を浴びせられる遠赤外線浴装置において、
上記周辺壁面及び天井壁面に形成された層は、
上記空間内側から外側方向へ順に、セラミック層と反射層と壁部断熱層とを備えていることを特徴とする遠赤外線浴装置。 
【発明の詳細な説明】
【技術分野】
【０００１】
本発明は、遠赤外線浴装置に係り、特に、床面と周辺壁面及び天井壁面とに囲まれた空間内に遠赤外線を浴びせられる部屋に関するものである。
【背景技術】
【０００２】
近年では、健康志向の高まりから発汗作用により新陳代謝の活発化を図る為の風呂が種々提案されている。このような風呂は、熱気を用いたフィンランド式の蒸し風呂であるサウナ風呂がよく知られるところであるが、温めた天然石や岩石を加工したベッドの上で横になって汗をかくサウナ形式の風呂の一種である岩盤浴を行う為の風呂もまたよく知られている。そして、上記サウナ風呂は室内を１００℃程度の高温または高温多湿に保持することで単に発汗作用を促すものであるため、従来型のサウナ風呂より低温で発汗作用を促すことができるという点から遠赤外線効果を利用する風呂として、床面と周辺壁面及び天井壁面とに囲まれた空間内に遠赤外線を浴びせられる遠赤外線浴装置が注目されている。
【０００３】
例えば、特許文献１には、床の上層部を遠赤外線等が発生する床とし、その最下層に発熱装置を擁し、中層部にトルマリン鉱石等の鉱石を敷き詰めると共に、部屋全体を輻射熱反射装置で包む壁体とすることで、体の芯から発汗を促すことができるサウナ装置が開示されている。
【０００４】
また、特許文献２には、室内の遠赤外線放射用床の下に熱源を設け、その室温の範囲を摂氏４０度乃至摂氏９０度にした低温サウナ室の周側壁面部に扉を配設し、その扉とその扉を囲む部分との間に隙間を設け、扉閉鎖時には、その隙間を無くし、その隙間を気密状態にし、低温サウナ室の熱が低温サウナ室外に放出させないようにしてなる気密性扉を有する低温サウナ室構造体が開示されている。
【特許文献１】特開２００６−２６２９４１号公報
【特許文献２】特開平６−６３１０１号公報
【発明の開示】
【発明が解決しようとする課題】
【０００５】
ところで、遠赤外線浴時の体への負担を少なくするには、岩石等を熱することで輻射された遠赤外線の輻射効率を向上させて遠赤外線浴をする為の室内をより低温にすることが望ましい。輻射された遠赤外線の輻射効率を向上させるには、輻射された遠赤外線が室外へ漏れるのを遮断することが有効であると考えられる。上記特許文献１、２には、周辺壁面及び天井壁面に熱反射材を設けることにより床面から輻射された遠赤外線を反射することが示されているが、まだまだ十分とは言えず、更なる輻射効率の向上が望まれる。
【０００６】
本発明は上記課題に鑑みて為されたもので、その目的とするところは、輻射された遠赤外線の輻射効率を向上させて遠赤外線浴時の室温を体温に近い温度とすることができる遠赤外線浴装置を提供することにある。
【課題を解決するための手段】
【０００７】
上記目的を達成するための請求項１に記載の発明は、上層部一面に配設されて遠赤外線を輻射する遠赤外線プレートと、該遠赤外線プレートに埋設されて該遠赤外線プレートを暖める発熱装置と、上記遠赤外線プレートの下一面に配設されて該遠赤外線プレートから輻射される遠赤外線に伴う輻射熱を反射する為の床部断熱層とから形成された床面と、上記遠赤外線プレートから輻射される遠赤外線を反射する為の層が形成された周辺壁面及び天井壁面とに囲まれ、上記床面と上記周辺壁面及び天井壁面とに囲まれた空間内に遠赤外線を浴びせられる遠赤外線浴装置において、上記周辺壁面及び天井壁面に形成された層は、上記空間内側から外側方向へ順に、上記遠赤外線プレートから輻射される遠赤外線を反射する為のセラミック層と、該セラミック層にて反射されなかった上記遠赤外線を反射する為の反射層と、上記遠赤外線に伴う輻射熱を反射する為の壁部断熱層とを、備えていることにある。
【０００８】
上記のように構成された本発明の遠赤外線浴装置において、周辺壁面及び天井壁面には、空間内側から外側方向へ順に、遠赤外線プレートから輻射される遠赤外線を反射する為のセラミック層と、そのセラミック層にて反射されなかった遠赤外線を反射する為の反射層と、遠赤外線に伴う輻射熱を反射する為の壁部断熱層とを備える層が形成されていることから、床面に形成された床部断熱層と相俟って、遠赤外線プレートから３次元的に輻射された遠赤外線を床面と周辺壁面及び天井壁面とに囲まれた空間内に確実に反射し、外部に漏らすことなく完全遮断に近い状態とすることが可能となる。
【０００９】
また、請求項２に記載の発明は、請求項１に記載の遠赤外線浴装置において、上記反射層は、遠赤外線を輻射する遠赤外線パウダを含ませた不織布と電磁波遮断シートとを貼り合わせて形成された反射シートであり、上記不織布よりも外側に上記電磁波遮断シートが備えられることにある。
【００１０】
上記のように構成された請求項１に記載の遠赤外線浴装置において、上記反射層は、遠赤外線を輻射する遠赤外線パウダを含ませた不織布に、その不織布よりも外側となるように電磁波遮断シートを貼り合わせて形成された反射シートで構成されていることから、遠赤外線プレートから輻射された遠赤外線に伴う輻射熱を受けて遠赤外線パウダを含ませた不織布から遠赤外線が輻射されると共に、遠赤外線プレートから輻射されてセラミック層にて反射されなかった遠赤外線及び不織布から輻射された遠赤外線が電磁波遮断シートにより空間内に確実に反射される。
【００１１】
また、請求項３に記載の発明は、請求項１または２に記載の遠赤外線浴装置において、上記壁部断熱層は、断熱板の厚さ方向両面にアルミ箔が貼り合わされた断熱材である。
【００１２】
上記のように構成された請求項１または２に記載の遠赤外線浴装置において、上記壁部断熱層は断熱板の厚さ方向両面にアルミ箔が貼り合わされた断熱材で構成されていることから、壁部断熱層により輻射された遠赤外線に伴う輻射熱が確実に反射される。
【００１３】
また、請求項４に記載の発明は、請求項１乃至３の何れかに記載の遠赤外線浴装置において、上記周辺壁面及び天井壁面に形成された層は、上記反射層と同一に構成された第２反射層を上記壁部断熱層よりも外側に更に備えていることにある。
【００１４】
上記のように構成された請求項１乃至３の何れかに記載の遠赤外線浴装置において、上記周辺壁面及び天井壁面に形成された層には、上記反射層と同一に構成された第２反射層が上記壁部断熱層よりも外側に更に備えられていることから、上記反射層にて反射されなかった遠赤外線が第２反射層により空間内に確実に反射される。また、例えばこの第２反射層が、遠赤外線を輻射する遠赤外線パウダを含ませた不織布に、その不織布よりも外側となるように電磁波遮断シートを貼り合わせて形成された反射シートで構成されることで、遠赤外線パウダを含ませた不織布から遠赤外線が輻射されると共に、輻射された遠赤外線が電磁波遮断シートにより空間内に一層確実に反射される。
【００１５】
また、請求項５に記載の発明は、請求項４に記載の遠赤外線浴装置において、上記周辺壁面及び天井壁面に形成された層は、躯体として機能する木製合板を上記第２反射層よりも外側に更に備えていることにある。
【００１６】
上記のように構成された請求項４に記載の遠赤外線浴装置において、上記周辺壁面及び天井壁面に形成された層には、躯体として機能する木製合板が上記第２反射層よりも外側に更に備えられていることから、上記周辺壁面及び天井壁面の強度が向上する。
【００１７】
また、請求項６に記載の発明は、請求項５に記載の遠赤外線浴装置において、上記周辺壁面及び天井壁面に形成された層は、躯体として機能する第２木製合板を上記セラミック層と上記反射層との間に更に備えていることにある。
【００１８】
上記のように構成された請求項５に記載の遠赤外線浴装置において、上記周辺壁面及び天井壁面に形成された層には、躯体として機能する第２木製合板が上記セラミック層と上記反射層との間に更に備えられていることから、上記周辺壁面及び天井壁面の強度が一層向上する。
【００１９】
また、請求項７に記載の発明は、請求項６に記載の遠赤外線浴装置において、上記セラミック層は、一部分が上記第２木製合板に貼り付けられた複数のセラミック材で形成され、他部分が上記第２木製合板に塗布された遠赤外線パウダの塗り壁で形成されていることにある。
【００２０】
上記のように構成された請求項６に記載の遠赤外線浴装置において、上記セラミック層は上記第２木製合板に貼り付けられた複数のセラミック材で形成されているものであるが、その一部分においてはセラミック材に替えて上記第２木製合板に塗布された遠赤外線パウダの塗り壁で形成されていることから、セラミック材で形成された部分では遠赤外線プレートから輻射された遠赤外線が反射され、遠赤外線パウダの塗り壁で形成された部分では遠赤外線プレートから輻射された遠赤外線に伴う輻射熱を受けて遠赤外線が輻射される。これにより、単に空間内への反射量だけを見ればセラミック材で形成された部分の方が遠赤外線パウダの塗り壁で形成された部分よりも遠赤外線プレートから輻射された遠赤外線を若干多く反射することになるが、遠赤外線の輻射を含めれば遠赤外線パウダの塗り壁で形成された部分からの方が空間内へ輻射される遠赤外線量が多くなる。尚、セラミック材で形成された部分と遠赤外線パウダの塗り壁で形成された部分とでは空間内への遠赤外線の反射量に差があるが、外側に上記反射層や壁部断熱層や第２反射層を備えているので問題は生じにくい。
【００２１】
また、請求項８に記載の発明は、請求項１乃至７の何れかに記載の遠赤外線浴装置において、上記遠赤外線プレートは、上記発熱装置を埋設する為の溝が形成された溝付プレートと、上記床面の表面を形成する為の床部表面プレートとを備えており、上記溝付プレートの上記溝に上記発熱装置が埋設され、該発熱装置が埋設された後に遠赤外線パウダが配合されたセメントを用いて該溝が埋められ、該溝付プレートの上一面に上記床部表面プレートが配設されることで上記遠赤外線プレートが形成されることにある。
【００２２】
上記のように構成された請求項１乃至７の何れかに記載の遠赤外線浴装置において、溝付プレートに形成された溝に上記発熱装置が埋設され、その発熱装置が埋設された後に遠赤外線パウダが配合されたセメントを用いてその溝が埋められ、その溝付プレートの上一面に床部表面プレートが配設されることで上記遠赤外線プレートは形成されることから、発熱装置が適切に遠赤外線プレート内に埋設されると共にその発熱装置により遠赤外線プレートが適切に暖められる一方で、床部表面プレートのみが床面の表面すなわち外観を構成する。
【００２３】
また、請求項９に記載の発明は、請求項８に記載の遠赤外線浴装置において、上記発熱装置は、ケーブル自体が外気温を感知し自動的に電気量を増減することが可能な自己制御型のヒータである。
【００２４】
上記のように構成された請求項８に記載の遠赤外線浴装置において、上記発熱装置はケーブル自体が外気温を感知し自動的に電気量を増減することが可能な自己制御型のヒータで構成されることから、必要な部分に必要量の熱だけ供給して過剰加熱を抑制することが可能となる。
【００２５】
また、請求項１０に記載の発明は、請求項８または９に記載の遠赤外線浴装置において、上記床部断熱層は、断熱板の厚さ方向両面にアルミ箔が貼り合わされた断熱材である。
【００２６】
上記のように構成された請求項８または９に記載の遠赤外線浴装置において、上記床部断熱層は断熱板の厚さ方向両面にアルミ箔が貼り合わされた断熱材で構成されていることから、輻射された遠赤外線に伴う輻射熱が床部断熱層により確実に反射される。
【００２７】
また、請求項１１に記載の発明は、請求項８乃至１０の何れかに記載の遠赤外線浴装置において、上記床面は、上記反射層と同一に構成された床部反射層を上記溝付プレートと上記床部断熱層との間に更に備えていることにある。
【００２８】
上記のように構成された請求項８乃至１０の何れかに記載の遠赤外線浴装置において、上記床面には、上記反射層と同一に構成された床部反射層が上記溝付プレートと上記床部断熱層との間に更に備えられていることから、輻射された遠赤外線が床部反射層により空間内に反射される。また、例えばこの床部反射層が、遠赤外線を輻射する遠赤外線パウダを含ませた不織布に、その不織布よりも外側となるように電磁波遮断シートを貼り合わせて形成された反射シートで構成されることで、遠赤外線パウダを含ませた不織布から遠赤外線が輻射されると共に、輻射された遠赤外線が電磁波遮断シートにより空間内に確実に反射される。
【００２９】
また、請求項１２に記載の発明は、請求項１乃至１１の何れかに記載の遠赤外線浴装置において、住宅内の既設の床面上に設けることが可能である。
【００３０】
上記のように構成された請求項１乃至１１の何れかに記載の遠赤外線浴装置において、遠赤外線浴装置自体を住宅内の既設の床面上に設けることができることから、住宅内の既設の床面に設置する場合であっても特別な基礎工事等を施すことなく床面と周辺壁面及び天井壁面とに囲まれた空間すなわち遠赤外線浴の為の部屋を簡単に設置することができる。
【００３１】
また、前記目的を達成するための請求項１３に記載の発明は、上層部一面に配設される遠赤外線プレートと、該遠赤外線プレートに埋設される発熱装置と、上記遠赤外線プレートの下一面に配設される床部断熱層とから形成された床面と、複数の層から形成された周辺壁面及び天井壁面とに囲まれ、上記床面と上記周辺壁面及び天井壁面とに囲まれた空間内に遠赤外線を浴びせられる遠赤外線浴装置において、上記周辺壁面及び天井壁面に形成された層は、上記空間内側から外側方向へ順に、セラミック層と反射層と壁部断熱層とを備えていることにある。
【００３２】
上記のように構成された本発明の遠赤外線浴装置において、発熱装置により遠赤外線プレートが暖められて遠赤外線プレートから遠赤外線が輻射される。この遠赤外線プレートから輻射された遠赤外線に伴う輻射熱は床部断熱層により反射される。また、周辺壁面及び天井壁面に形成された層は、空間内側から外側方向へ順に、セラミック層と反射層と壁部断熱層とを備えており、セラミック層により遠赤外線プレートから輻射された遠赤外線が反射され、反射層によりそのセラミック層にて反射されなかった遠赤外線が反射され、壁部断熱層により遠赤外線に伴う輻射熱が反射される。このように、周辺壁面及び天井壁面には、遠赤外線プレートから輻射された遠赤外線を反射する為の層が形成されており、床面に形成された床部断熱層と相俟って、遠赤外線プレートから３次元的に輻射された遠赤外線を床面と周辺壁面及び天井壁面とに囲まれた空間内に確実に反射し、外部に漏らすことなく完全遮断に近い状態とすることが可能となる。
【発明の効果】
【００３３】
以上説明したように、請求項１または請求項１３に記載の発明によれば、遠赤外線プレートから３次元的に輻射された遠赤外線を床面と周辺壁面及び天井壁面とに囲まれた空間内に確実に反射し、外部に漏らすことなく完全遮断に近い状態とすることができるので、輻射された遠赤外線の輻射効率を向上することができる。遠赤外線の輻射効率が向上することで遠赤外線が体内水分子により強く作用し、遠赤外線浴時の空間内温度（室温）が体温に近い温度（例えば３７℃〜４０℃）であっても体内水分子の共振による体温上昇が顕著に現れる。このことにより、血管拡張を促して血流がより良くなり脂肪や重金属などの老廃物が汗と共に排泄されやすくなる。例えば、室温を３７℃〜４０℃に設定した遠赤外線浴時において、１０分程度で発汗現象が顕著に現れ、副交感神経を刺激してリラックスできたり、内臓器官が活発になって下痢・便秘を改善することができたりする効果が期待できたり、遠赤外線浴後に体が軽く感じて爽快感を感じたりすることができるなど、遠赤外線浴時の室温が体温に近い温度であっても遠赤外線効果がより多く得られる。すなわち、輻射された遠赤外線の輻射効率を向上させて遠赤外線浴時の室温を体への負担が少なくなる体温に近い温度とすることができる遠赤外線浴装置が提供される。
【００３４】
また、請求項２に記載の発明によれば、遠赤外線パウダを含ませた不織布から遠赤外線が輻射されると共に、遠赤外線プレートから輻射されてセラミック層にて反射されなかった遠赤外線及び不織布から輻射された遠赤外線が電磁波遮断シートにより空間内に確実に反射されるので、より多くの遠赤外線を床面と周辺壁面及び天井壁面とに囲まれた空間内に輻射することができると共にそれら輻射された遠赤外線を外部に漏らすことなく完全遮断に近い状態とすることができる。よって、輻射された遠赤外線の輻射効率を一層向上することができる。
【００３５】
また、請求項３に記載の発明によれば、壁部断熱層により輻射された遠赤外線に伴う輻射熱が確実に反射されるので、輻射された遠赤外線の輻射効率を一層向上することができる。
【００３６】
また、請求項４に記載の発明によれば、上記反射層にて反射されなかった遠赤外線が第２反射層により空間内に確実に反射されるので、輻射された遠赤外線を外部に漏らすことなく完全遮断により近い状態とすることができる。また、例えばこの第２反射層が遠赤外線パウダを含ませた不織布と電磁波遮断シートとを貼り合わせて形成された反射シートで構成される場合には、遠赤外線パウダを含ませた不織布から遠赤外線が輻射されると共に、輻射された遠赤外線が電磁波遮断シートにより空間内に一層確実に反射されるので、より多くの遠赤外線を床面と周辺壁面及び天井壁面とに囲まれた空間内に輻射することができると共にそれら輻射された遠赤外線を外部に漏らすことなく完全遮断に近い状態とすることができる。よって、輻射された遠赤外線の輻射効率を一層向上することができる。
【００３７】
また、請求項５に記載の発明によれば、木製合板により上記周辺壁面及び天井壁面の強度が向上するので、床面と周辺壁面及び天井壁面とに囲まれた空間すなわち遠赤外線浴の為の部屋を簡単に設置することができる。
【００３８】
また、請求項６に記載の発明によれば、第２木製合板により上記周辺壁面及び天井壁面の強度が一層向上するので、床面と周辺壁面及び天井壁面とに囲まれた空間すなわち遠赤外線浴の為の部屋を一層簡単に設置することができる。
【００３９】
また、請求項７に記載の発明によれば、セラミック層においてセラミック材で形成された部分では遠赤外線プレートから輻射された遠赤外線が反射され、遠赤外線パウダの塗り壁で形成された部分では遠赤外線プレートから輻射された遠赤外線に伴う輻射熱を受けて遠赤外線が輻射されるので、より多くの遠赤外線を床面と周辺壁面及び天井壁面とに囲まれた空間内に輻射することができる。
【００４０】
また、請求項８に記載の発明によれば、発熱装置が適切に遠赤外線プレート内に埋設されると共にその発熱装置により遠赤外線プレートが適切に暖められる一方で、床部表面プレートのみが床面の表面すなわち外観を構成するので、発熱装置を埋設する際の作業効率が向上すると共に遠赤外線プレートから適切に遠赤外線が輻射される一方で、ユーザは床部表面プレートのみを床面として接触したり見たりすることになりユーザビリティーが向上する。
【００４１】
また、請求項９に記載の発明によれば、発熱装置としての自己制御型のヒータは必要な部分に必要量の熱だけ供給して過剰加熱を抑制することができるので、見方を換えれば設定温度に対して下がった分の温度だけ上げることができるので、消費電力を抑制することができて経済性が向上する。
【００４２】
また、請求項１０に記載の発明によれば、輻射された遠赤外線に伴う輻射熱が床部断熱層により確実に反射されるので、輻射された遠赤外線の輻射効率を一層向上することができる。
【００４３】
また、請求項１１に記載の発明によれば、輻射された遠赤外線が床部反射層により空間内に反射されるので、輻射された遠赤外線を外部に漏らすことなく完全遮断により近い状態とすることができる。また、例えばこの床部反射層が遠赤外線パウダを含ませた不織布と電磁波遮断シートとを貼り合わせて形成された反射シートで構成される場合には、遠赤外線パウダを含ませた不織布から遠赤外線が輻射されると共に、輻射された遠赤外線が電磁波遮断シートにより空間内に確実に反射されるので、より多くの遠赤外線を床面と周辺壁面及び天井壁面とに囲まれた空間内に輻射することができると共にそれら輻射された遠赤外線を外部に漏らすことなく完全遮断に近い状態とすることができる。よって、輻射された遠赤外線の輻射効率を一層向上することができる。
【００４４】
また、請求項１２に記載の発明によれば、住宅内の既設の床面に設置する場合であっても特別な基礎工事等を施すことなく遠赤外線浴の為の部屋を簡単に設置することができるので、遠赤外線効果がより多く得られる遠赤外線浴装置が簡単な工事で提供される。
【発明を実施するための最良の形態】
【００４５】
以下、下記の項目に従って本発明の実施形態を図面を参照しつつ説明する。
（１）遠赤外線浴装置の概略構成
（２）床面の構成
（３）周辺壁面及び天井壁面の構成
（４）まとめ
【００４６】
（１）遠赤外線浴装置の概略構成
以下、図１、２を参照して本発明が適用される遠赤外線浴装置１０の概略構成を説明する。図１は遠赤外線浴装置１０の一例を示す外観図であり、図２は遠赤外線浴装置１０の内部の概略図である。図１、２において、遠赤外線浴装置１０は、下方を塞ぐ床面２０と四方を塞ぐ周辺壁面３０と上方を塞ぐ天井壁面４０とに囲まれた略直方形の箱体の部屋であり、床面２０、周辺壁面３０、及び天井壁面４０に囲まれた空間内に遠赤外線を浴びせられる遠赤外線浴の為の部屋すなわち遠赤外線効果を利用する風呂（浴室）である。例えば、床面２０は遠赤外線を輻射するように形成され、床面２０、周辺壁面３０、及び天井壁面４０にはその輻射された遠赤外線を反射する為の層が形成される。また、四方を塞ぐ周辺壁面３０の内の少なくとも１カ所には人が遠赤外線浴装置１０内に出入りする為の扉５０が設けられている。
【００４７】
遠赤外線浴装置１０内の空間サイズは、例えば幅2000〜3000mm×奥行き1800〜2200mm×高さ2100〜2200mmであり、この遠赤外線浴装置１０を例えば住宅内の既設の床面１００（図３参照）上に組み立てて簡単に設置することが可能である。
【００４８】
（２）床面の構成
図３は、床面２０周辺の断面を示す部分拡大図である。図３において、床面２０は、上層部一面に配設されて遠赤外線を輻射する遠赤外線プレート２１と、遠赤外線プレート２１に埋設されてその遠赤外線プレート２１を暖める熱源としての発熱装置２２と、遠赤外線プレート２１の下方一面すなわち既存の床面１００上に配設されてその遠赤外線プレート２１から輻射される遠赤外線に伴う輻射熱を反射する為の床部断熱層２３と、遠赤外線プレート２１と床部断熱層２３との間に配設された床部反射層２４とから形成されている。
【００４９】
床部断熱層２３は、例えば断熱板２３ａとアルミ箔２３ｂとから構成されており、断熱板２３ａの厚さ方向両面にアルミ箔２３ｂが貼り合わされた断熱材である。具体的には、断熱板２３ａは15〜35ｍｍ程度の厚さをもつフェノールフォーム等の発泡プラスチックであり、アルミ箔２３ｂは３０μm程度のアルミ箔であり、厚さ15〜35mm×巾900mm×長さ1800mm程度に形成された断熱材が遠赤外線浴装置１０内の幅及び奥行き方向に隙間なく配設されて床部断熱層２３が形成される。こうすることで、遠赤外線プレート２１等から輻射された遠赤外線に伴う輻射熱が確実に反射される。
【００５０】
床部反射層２４は、遠赤外線を輻射する遠赤外線パウダを含ませた不織布２４ａと電磁波遮断シート２４ｂとを貼り合わせて形成された反射シートである。具体的には、電磁波遮断シート２４ｂは布状のナイロン糸に銀のコーティングを施した電磁波遮断シールドメッシュであり、不織布２４ａは遠赤外線パウダを塗布した不織布であり、不織布２４ａよりも外側（床面１００側）に電磁波遮断シート２４ｂを備えるように床部断熱層２３上一面に配設されて床部反射層２４が形成される。こうすることで、遠赤外線プレート２１に加え不織布２４ａからも遠赤外線が輻射されると共に、遠赤外線プレート２１や不織布２４ａ等から輻射された遠赤外線が電磁波遮断シート２４ｂにより空間内に確実に反射される。
【００５１】
発熱装置２２は、例えばよく知られた電熱線ヒータでも良いが、ケーブル自体が外気温を感知し自動的に電気量を増減することが可能な自己制御型のヒータ（以下、ＰＣＴヒータ２２という）であればなお良い。ＰＣＴヒータ２２（図４参照）は、ポリマーと導電性カーボンとの特殊な配合から成る抵抗素子により、２本の導体全長にわたり無数の並列的電気回路が形成されている。そして、上記抵抗素子が熱くなるとこのコアが膨張し、電気抵抗が増加してヒーターの出力が減少する。反対にコアの温度が下がると収縮し、電気抵抗が減ってヒーターの出力が増大する。すなわち、ＰＣＴヒータ２２が持つ抵抗素子は温度変化に応じて出力を制御するものであり、温度が下がれば出力は増加し、逆に温度が上がれば出力は低下します。このように、ＰＣＴヒータ２２は温度の変化に対する反応を繰り返し続けて所定の設定温度を保持するものであり、必要な部分に必要量の熱だけ供給して過剰加熱がなく、従来のヒータと比べて大幅なエネルギーの削減ができる。また、たとえ曲げたり、重ねたり、或いは接近させたりしてもオーバーヒート（過剰加熱）することもなく高い安全性を持っている。また、電流は抵抗体内の平行導線間で連続的な発熱回路を形成して流れることから、必要な任意の長さに切って使用でき設計施工時間が大幅に削減される。さらに、直列回路の場合のような断線事故もなく耐久性は半永久的である。
【００５２】
遠赤外線プレート２１は、例えばＰＣＴヒータ２２を埋設する為の図４に示すような溝２５ａが形成された溝付プレート２５と、床面の表面を形成する為の床部表面プレート２６とを備えている。具体的には、溝付プレート２５の１片は、遠赤外線パウダやトルマリン等がブレンドされて厚さ40mm×巾400mm×長さ400mm程度に成型された遠赤外線プレートであり、厚さ方向と直行する一方の平面部２５ｂには等間隔に並べられた巾50mm程度の複数（本実施例では４つ）の溝２５ａが形成されている。床部表面プレート２６の1片は、自然石である麦飯石が厚さ20mm×巾400mm×長さ400mm程度に加工された遠赤外線プレートである。
【００５３】
図５は、溝付プレート２５に例えば厚さ3〜5mm×巾10〜15mm程度のＰＣＴヒータ２２を埋設する際において床部表面プレート２６を配設する前の状態を示す平面概略図である。図6は、図５において床部表面プレート２６を配設した後の状態におけるＡ−Ａ断面図である。図５、６において、床部反射層２４上一面において溝２５ａが連続するように溝付プレート２５が隙間なく配設され、その配設された溝付プレート２５の溝２５ａにＰＣＴヒータ２２が連続的に埋設され、ＰＣＴヒータ２２が埋設された後に35重量％程度の遠赤外線パウダが配合されたセメント２７を用いてその溝２５ａが埋められ、そのセメント２７を接着剤として溝付プレート２５の上一面に床部表面プレート２６が配設されることで遠赤外線プレート２１が形成される。こうすることで、ＰＣＴヒータ２２が適切に遠赤外線プレート２１内に簡単に埋設されると共にそのＰＣＴヒータ２２により遠赤外線プレート２１が適切に暖められる一方で、床部表面プレート２６のみが床面２０の表面すなわち外観を構成する。
【００５４】
（３）周辺壁面及び天井壁面の構成
図７は、周辺壁面３０及び天井壁面４０周辺の断面を示す部分拡大図である。尚、天井壁面４０については周辺壁面３０と同じ構成であるので、図７においてはその断面の詳細な図示を省略してある。図７において、周辺壁面３０及び天井壁面４０は、床面２０、周辺壁面３０、及び天井壁面４０に囲まれた空間内側から外側方向へ順に、遠赤外線プレート２１から輻射された遠赤外線を反射する為のセラミック層３１と、セラミック層３１にて反射されなかった遠赤外線を反射する為の反射層３２と、輻射された遠赤外線に伴う輻射熱を反射する為の壁部断熱層３３と、反射層３２と同一に構成された第２反射層３４と、躯体として機能する木製合板３５とを備える層から形成されている。更に、周辺壁面３０及び天井壁面４０は、セラミック層３１と反射層３２との間に配設された躯体として機能する第２木製合板３６を備えている。
【００５５】
セラミック層３１は、例えば１片が厚さ5mm×巾300mm×長さ300mm程度のタイルであるセラミック材３１ａが第２木製合板３６上一面に複数貼り付けられることで形成されるが、天井壁面４０と周辺壁面３０の最上部及び最下部（腰部）とにおいては第２木製合板３６に複数のセラミック材３１ａが貼り付けられることで形成され、周辺壁面３０の中段部（腰上部）においては第２木製合板３６に塗布された遠赤外線パウダの塗り壁である遠赤外線パウダ壁３１ｂで形成されても良い。こうすることで、セラミック材３１ａで形成された部分では遠赤外線プレート２１から輻射された遠赤外線が反射され、遠赤外線パウダ壁３１ｂで形成された部分では遠赤外線プレート２１から輻射された遠赤外線に伴う輻射熱を受けて遠赤外線が輻射される。これにより、単に空間内への遠赤外線の反射量だけを見ればセラミック材３１ａで形成された部分の方が遠赤外線パウダ壁３１ｂで形成された部分よりも遠赤外線プレート２１から輻射された遠赤外線を若干多く反射することになるが、遠赤外線パウダ壁３１ｂ自体の遠赤外線の輻射を含めれば遠赤外線パウダ壁３１ｂで形成された部分からの方が空間内へ輻射される遠赤外線量が多くなる。尚、セラミック材３１ａで形成された部分と遠赤外線パウダ壁３１ｂで形成された部分とでは空間内への遠赤外線の反射量に差があるが、外側に反射層３２や壁部断熱層３３や第２反射層３４を備えているので問題は生じにくい。また、セラミック材３１ａは、意匠面でもあることから部分により色を変えたり、周辺壁面３０の最上部と最下部（腰部）とで材質を変えるなどしても良い。
【００５６】
木製合板３５および第２木製合板３６は、例えば厚さ10〜15mm×巾900mm×長さ1800mm程度のベニヤ板であり、ＪＡＳ規格でＦ☆☆☆☆のものを使用するのが望ましい。木製合板３５を備えることで周辺壁面３０及び天井壁面４０の強度が向上することはもちろんであるが、第２木製合板３６を更に備えることで周辺壁面３０及び天井壁面４０の強度が一層向上すると共に、セラミック材３１ａを貼り付け易くなったり遠赤外線パウダを塗布し易くなってセラミック層３１を形成する作業効率が向上する。
【００５７】
壁部断熱層３３は、床部断熱層２３と同様に、例えば断熱板３３ａとアルミ箔３３ｂとから構成されており、断熱板３３ａの厚さ方向両面にアルミ箔３３ｂが貼り合わされた断熱材であり、厚さ15〜35mm×巾900mm×長さ1800mm程度に形成された断熱材が周辺壁面３０及び天井壁面４０において遠赤外線浴装置１０の幅（或いは奥行き）及び高さ方向に隙間なく配設されて形成される。こうすることで、周辺壁面３０及び天井壁面４０において遠赤外線プレート２１等から輻射された遠赤外線に伴う輻射熱が確実に反射される。
【００５８】
反射層３２は、床部反射層２４と同様に、遠赤外線パウダを含ませた不織布３２ａと電磁波遮断シート３２ｂとを貼り合わせて形成された反射シートであり、不織布３２ａよりも外側に電磁波遮断シート３２ｂを備えるように配設されて形成される。こうすることで、遠赤外線プレート２１から輻射された遠赤外線に伴う輻射熱を受けて不織布３２ａからも遠赤外線が輻射されると共に、遠赤外線プレート２１から輻射されてセラミック層３１にて反射されなかった遠赤外線及び不織布３２ａから輻射された遠赤外線が電磁波遮断シート３２ｂにより空間内に確実に反射される。
【００５９】
第２反射層３４は、反射層３２と同様に、不織布３４ａと電磁波遮断シート３４ｂとを貼り合わせて形成された反射シートであり、不織布３４ａよりも外側に電磁波遮断シート３４ｂを備えるように配設されて形成される。また、不織布３４ａからも遠赤外線が輻射されると共に、反射層３２にて反射されなかった遠赤外線及び不織布３４ａから輻射された遠赤外線が電磁波遮断シート３４ｂにより空間内に確実に反射される。
【００６０】
扉５０は、例えば巾600mm×高さ1500mm程度の大きさである。扉５０は、周辺壁面３０及び天井壁面４０と同様に構成されているので、その説明については省略する。但し、扉５０には躯体としての機能を有する必要はなく、扉としての外観を重視するという観点から、セラミック層３１を備えないと共に、意匠面となる木製合板３５および第２木製合板３６に替えて例えば木製無垢材を用いても良い。尚、反射層３２や壁部断熱層３３や第２反射層３４を備えているのでセラミック層３１を備えないことによる問題は生じにくい。
【００６１】
このように構成された遠赤外線浴装置１０において、例えば所定の設定温度が８０℃程度であるＰＣＴヒータ２２を使用することで、適度に暖められた遠赤外線プレート２１から遠赤外線が３次元的に輻射される。また、輻射された遠赤外線に伴う輻射熱受けて遠赤外線パウダを含ませた不織布２４ａ、３２ａ、３４ａや遠赤外線パウダ壁３１ｂ等からも遠赤外線が輻射される。これら輻射された遠赤外線やそれら遠赤外線に伴う輻射熱は、床面２０、周辺壁面３０（扉５０を含む）、及び天井壁面４０によりそれらに囲まれた空間内に確実に反射させられ、外部に漏らすことなく完全遮断に近い状態とされる。これにより、床面２０を除き、周辺壁面３０及び天井壁面４０の温度や空間内の温度分布が略均一となるような所謂空洞放射に近い状態とされる。
【００６２】
そして、遠赤外線の輻射効率が向上された遠赤外線浴装置１０内において人が遠赤外線を浴びることで、遠赤外線が体内水分子により強く作用して体内水分子の共振による体温上昇が顕著に現れる。このようなことから、遠赤外線浴時の遠赤外線浴装置１０内の室温を体への負担がより少ない低い温度例えば３７℃〜４０℃程度の体温に近い温度とすることができるのである。例えば、室温を３７℃〜４０℃に設定した遠赤外線浴時において、１０分程度で発汗現象が顕著に現れる。ＰＣＴヒータ２２の上記所定の設定温度は、遠赤外線浴装置１０内の室温が３７℃〜４０℃程度となるように予め実験的に求められて設定されている。
【００６３】
また、本実施例の遠赤外線浴装置１０においては、ＰＣＴヒータ２２の作動時には室内の湿度が２０％程度の乾燥状態となることから、遠赤外線浴時には加湿器を併用して湿度を６０％程度に維持すればよりリラックスした環境が得られる。また、遠赤外線浴時以外の時にもＰＣＴヒータ２２を作動させて乾燥状態を維持すれば、雑菌の繁殖を抑制することができる。尚、このＰＣＴヒータ２２は経済性の高いヒータであり、本実施例の遠赤外線浴装置１０においてはＰＣＴヒータ２２を１日２４時間作動させても6000（円／月）程度の電気代で済む。
【００６４】
（４）まとめ
上述のように、本実施例によれば、遠赤外線プレート２１から３次元的に輻射された遠赤外線を床面２０、周辺壁面３０、及び天井壁面４０に囲まれた遠赤外線浴装置１０内の空間内に確実に反射し、外部に漏らすことなく完全遮断に近い状態とすることができるので、輻射された遠赤外線の輻射効率を向上することができる。遠赤外線の輻射効率が向上することで遠赤外線が体内水分子により強く作用し、遠赤外線浴時の空間内温度（室温）が体温に近い温度（例えば３７℃〜４０℃）であっても体内水分子の共振による体温上昇が顕著に現れる。このことにより、血管拡張を促して血流がより良くなり脂肪や重金属などの老廃物が汗と共に排泄されやすくなる。例えば、室温を３７℃〜４０℃に設定した遠赤外線浴時において、１０分程度で発汗現象が顕著に現れ、副交感神経を刺激してリラックスできたり、内臓器官が活発になって下痢・便秘を改善することができたりする効果が期待できたり、遠赤外線浴後に体が軽く感じて爽快感を感じたりすることができるなど、遠赤外線浴時の室温が体温に近い温度であっても遠赤外線効果がより多く得られる。すなわち、輻射された遠赤外線の輻射効率を向上させて遠赤外線浴時の室温を体への負担が少なくなる体温に近い温度とすることができる遠赤外線浴装置１０が提供される。
【００６５】
また、本実施例によれば、遠赤外線パウダを含ませた不織布３２ａから遠赤外線が輻射されると共に、遠赤外線プレート２１から輻射されてセラミック層３１にて反射されなかった遠赤外線及び不織布３２ａから輻射された遠赤外線が電磁波遮断シート３２ｂにより遠赤外線浴装置１０内の空間内に確実に反射されるので、より多くの遠赤外線を遠赤外線浴装置１０内の空間内に輻射することができると共にそれら輻射された遠赤外線を外部に漏らすことなく完全遮断に近い状態とすることができる。よって、輻射された遠赤外線の輻射効率を一層向上することができる。
【００６６】
また、本実施例によれば、壁部断熱層３３により輻射された遠赤外線に伴う輻射熱が確実に反射されるので、輻射された遠赤外線の輻射効率を一層向上することができる。
【００６７】
また、本実施例によれば、反射層３２にて反射されなかった遠赤外線が第２反射層３４により遠赤外線浴装置１０内の空間内に確実に反射されるので、輻射された遠赤外線を外部に漏らすことなく完全遮断により近い状態とすることができる。また、この第２反射層３４が遠赤外線パウダを含ませた不織布３４ａと電磁波遮断シート３４ｂとを貼り合わせて形成された反射シートで構成されていることから、不織布３４ａから遠赤外線が輻射されると共に、遠赤外線プレート２１や不織布３４ａから輻射された遠赤外線が電磁波遮断シート３４ｂにより空間内に一層確実に反射されるので、より多くの遠赤外線を遠赤外線浴装置１０内の空間内に輻射することができると共にそれら輻射された遠赤外線を外部に漏らすことなく完全遮断に近い状態とすることができる。よって、輻射された遠赤外線の輻射効率を一層向上することができる。
【００６８】
また、本実施例によれば、木製合板３５により周辺壁面３０及び天井壁面４０の強度が向上するので、遠赤外線浴装置１０すなわち遠赤外線浴の為の部屋を簡単に設置することができる。
【００６９】
また、本実施例によれば、第２木製合板３６により周辺壁面３０及び天井壁面４０の強度が一層向上するので、遠赤外線浴装置１０を一層簡単に設置することができる。また、第２木製合板３６を備えることでセラミック層３１を形成する作業効率が向上する。
【００７０】
また、本実施例によれば、セラミック層３１においてセラミック材３１ａで形成された部分では遠赤外線プレート２１から輻射された遠赤外線が反射され、遠赤外線パウダの塗り壁である遠赤外線パウダ壁３１ｂで形成された部分では遠赤外線プレート２１から輻射された遠赤外線に伴う輻射熱を受けて遠赤外線が輻射されるので、より多くの遠赤外線を遠赤外線浴装置１０内の空間内に輻射することができる。
【００７１】
また、本実施例によれば、ＰＣＴヒータ２２が適切に遠赤外線プレート２１内に埋設されると共にそのＰＣＴヒータ２２により遠赤外線プレート２１が適切に暖められる一方で、床部表面プレート２６のみが床面２０の表面すなわち外観を構成するので、ＰＣＴヒータ２２を埋設する際の作業効率が向上すると共に遠赤外線プレート２１から適切に遠赤外線が輻射される一方で、ユーザは床部表面プレート２６のみを床面２０として接触したり見たりすることになりユーザビリティーが向上する。
【００７２】
また、本実施例によれば、ＰＣＴヒータ２２は必要な部分に必要量の熱だけ供給して過剰加熱を抑制することができるので、見方を換えれば設定温度に対して下がった分の温度だけ上げることができるので、消費電力を抑制することができて経済性が向上する。
【００７３】
また、本実施例によれば、輻射された遠赤外線に伴う輻射熱が床部断熱層２３により確実に反射されるので、輻射された遠赤外線の輻射効率を一層向上することができる。
【００７４】
また、本実施例によれば、輻射された遠赤外線が床部反射層２４により遠赤外線浴装置１０内の空間内に反射されるので、輻射された遠赤外線を外部に漏らすことなく完全遮断により近い状態とすることができる。また、この床部反射層２４が遠赤外線パウダを含ませた不織布２４ａと電磁波遮断シート２４ｂとを貼り合わせて形成された反射シートで構成されていることから、不織布２４ａから遠赤外線が輻射されると共に、遠赤外線プレート２１や不織布２４ａから輻射された遠赤外線が電磁波遮断シート２４ｂにより空間内に確実に反射されるので、より多くの遠赤外線を遠赤外線浴装置１０内の空間内に輻射することができると共にそれら輻射された遠赤外線を外部に漏らすことなく完全遮断に近い状態とすることができる。よって、輻射された遠赤外線の輻射効率を一層向上することができる。
【００７５】
また、本実施例によれば、住宅内の既設の床面１００に設置する場合であっても特別な基礎工事等を施すことなく遠赤外線浴の為の部屋を簡単に設置することができるので、遠赤外線効果がより多く得られる遠赤外線浴装置１０が簡単な工事で提供される。
【００７６】
以上、本発明の実施例を図面に基づいて詳細に説明したが、本発明はその他の態様においても適用される。
【００７７】
例えば、前述の実施例では、周辺壁面３０及び天井壁面４０は、セラミック層３１と第２木製合板３６と反射層３２と壁部断熱層３３と第２反射層３４と木製合板３５とから形成されていたが、少なくともセラミック層３１と反射層３２と壁部断熱層３３とを備えておれば、輻射された遠赤外線の輻射効率を向上する一定の効果は得られる。同様に、扉５０は、少なくとも反射層３２と壁部断熱層３３とを備えておれば、輻射された遠赤外線の輻射効率を向上する一定の効果は得られる。
【００７８】
また、前述の実施例では、遠赤外線浴装置１０内の空間サイズや各部のサイズを具体的に示したが、各サイズは設置場所、使用人数、作業効率等を考慮して適宜変更される。
【００７９】
また、前述の実施例では、床部反射層２４（反射層３２、第２反射層３４）は、不織布２４ａ（不織布３２ａ、不織布３４ａ）と電磁波遮断シート２４ｂ（電磁波遮断シート３２ｂ、電磁波遮断シート３４ｂ）とを貼り合わせて形成された反射シートであったが、遠赤外線を遮断する為の電磁波遮断シート２４ｂ（電磁波遮断シート３２ｂ、電磁波遮断シート３４ｂ）少なくとも備えていればよい。このようにしても、輻射された遠赤外線を遠赤外線浴装置１０内の空間へ反射する効果は十分得られる。
【００８０】
また、前述の実施例では、周辺壁面３０及び天井壁面４０には躯体として機能する木製合板３５および第２木製合板３６を備えていたが、必ずしも合板でなくてもよく、躯体として機能する板材であれば良い。例えば、合板におけるホルムアルデヒドの放散を考慮すれば、特に遠赤外線浴装置１０内側に備えられた第２木製合板３６については石膏ボード等を用いても良い。
【００８１】
なお、上述したのはあくまでも一実施形態であり、本発明は当業者の知識に基づいて種々の変更、改良を加えた態様で実施することができる。
【図面の簡単な説明】
【００８２】
【図１】本発明が適用される遠赤外線浴装置の一例を示す外観図である。
【図２】遠赤外線浴装置の内部の概略図である。
【図３】床面周辺の断面を示す部分拡大図である。
【図４】溝付プレートの一例を示す外観図である。
【図５】溝付プレートにＰＣＴヒータを埋設する際において床部表面プレートを配設する前の状態を示す平面概略図である。
【図６】図５において床部表面プレートを配設した後の状態におけるＡ−Ａ断面図である。
【図７】周辺壁面及び天井壁面周辺の断面を示す部分拡大図である。
【符号の説明】
【００８３】
１０：遠赤外線浴装置
２０：床面
２１：遠赤外線プレート
２２：発熱装置、ＰＣＴヒータ（自己制御型のヒータ）
２３：床部断熱層（断熱材）
２３ａ：断熱板
２３ｂ：アルミ箔
２４：床部反射層
２５：溝付プレート
２５ａ：溝
２６：床部表面プレート
２７：セメント
３０：周辺壁面
３１：セラミック層
３１ａ：セラミック材
３１ｂ：遠赤外線パウダ壁（遠赤外線パウダの塗り壁）
３２：反射層（反射シート）
３２ａ：不織布
３２ｂ：電磁波遮断シート
３３：壁部断熱層（断熱材）
３３ａ：断熱板
３３ｂ：アルミ箔
３４：第２反射層
３５：木製合板
３６：第２木製合板
４０：天井壁面
１００：既設の床面 
【図１】
2008307327.tif 000003
【図２】
2008307327.tif 000004
【図３】
2008307327.tif 000005
【図４】
2008307327.tif 000006
【図５】
2008307327.tif 000007
【図６】
2008307327.tif 000008
【図７】
2008307327.tif 000009
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
上層部一面に配設されて遠赤外線を輻射する遠赤外線プレートと、該遠赤外線プレートに埋設されて該遠赤外線プレートを暖める発熱装置と、上記遠赤外線プレートの下一面に配設されて該遠赤外線プレートから輻射される遠赤外線に伴う輻射熱を反射する為の床部断熱層とから形成された床面と、
上記遠赤外線プレートから輻射される遠赤外線を反射する為の層が形成された周辺壁面及び天井壁面とに囲まれ、上記床面と上記周辺壁面及び天井壁面とに囲まれた空間内に遠赤外線を浴びせられる遠赤外線浴装置において、
上記周辺壁面及び天井壁面に形成された層は、
上記空間内側から外側方向へ順に、
上記遠赤外線プレートから輻射される遠赤外線を反射する為のセラミック層と、
躯体として機能する第２木製合板と、
該セラミック層にて反射されなかった上記遠赤外線を反射する為の反射層として遠赤外線を輻射する遠赤外線パウダを含ませた不織布と該不織布よりも外側に備えられた電磁波遮断シートとを貼り合わせて形成された反射シートと、
上記遠赤外線に伴う輻射熱を反射する為の壁部断熱層として断熱板の厚さ方向両面にアルミ箔が貼り合わされた断熱材と、
上記反射層と同一に構成された第２反射層と、
躯体として機能する木製合板とを、備えていると共に、
上記遠赤外線プレートは、
上記発熱装置を埋設する為の溝が形成された溝付プレートと、上記床面の表面を形成する為の床部表面プレートとを備え、上記溝付プレートの上記溝に上記発熱装置としてケーブル自体が外気温を感知し自動的に電気量を増減することが可能な自己制御型のヒータが埋設され、該発熱装置が埋設された後に遠赤外線パウダが配合されたセメントを用いて該溝が埋められ、該溝付プレートの上一面に上記床部表面プレートが配設されることで形成されており、
上記床部断熱層は、上記壁部断熱層と同一に構成された断熱材であり、
上記床面は、上記反射層と同一に構成された床部反射層を上記溝付プレートと上記床部断熱層との間に更に備えていることを特徴とする遠赤外線浴装置。
【請求項２】
上記セラミック層は、一部分が上記第２木製合板に貼り付けられた複数のセラミック材で形成され、他部分が上記第２木製合板に塗布された遠赤外線パウダの塗り壁で形成されていることを特徴とする請求項１に記載の遠赤外線浴装置。
【請求項３】
住宅内の既設の床面上に設けることが可能であることを特徴とする請求項１または２に記載の遠赤外線浴装置。
【手続補正２】
【補正対象書類名】明細書
【補正対象項目名】０００９
【補正方法】変更
【補正の内容】
【０００９】
また、請求項１に記載の遠赤外線浴装置において、上記反射層は、遠赤外線を輻射する遠赤外線パウダを含ませた不織布と電磁波遮断シートとを貼り合わせて形成された反射シートであり、上記不織布よりも外側に上記電磁波遮断シートが備えられることにある。
【手続補正３】
【補正対象書類名】明細書
【補正対象項目名】００１１
【補正方法】変更
【補正の内容】
【００１１】
また、請求項１に記載の遠赤外線浴装置において、上記壁部断熱層は、断熱板の厚さ方向両面にアルミ箔が貼り合わされた断熱材である。
【手続補正４】
【補正対象書類名】明細書
【補正対象項目名】００１２
【補正方法】変更
【補正の内容】
【００１２】
上記のように構成された請求項１に記載の遠赤外線浴装置において、上記壁部断熱層は断熱板の厚さ方向両面にアルミ箔が貼り合わされた断熱材で構成されていることから、壁部断熱層により輻射された遠赤外線に伴う輻射熱が確実に反射される。
【手続補正５】
【補正対象書類名】明細書
【補正対象項目名】００１３
【補正方法】変更
【補正の内容】
【００１３】
また、請求項１に記載の遠赤外線浴装置において、上記周辺壁面及び天井壁面に形成された層は、上記反射層と同一に構成された第２反射層を上記壁部断熱層よりも外側に更に備えていることにある。
【手続補正６】
【補正対象書類名】明細書
【補正対象項目名】００１４
【補正方法】変更
【補正の内容】
【００１４】
上記のように構成された請求項１に記載の遠赤外線浴装置において、上記周辺壁面及び天井壁面に形成された層には、上記反射層と同一に構成された第２反射層が上記壁部断熱層よりも外側に更に備えられていることから、上記反射層にて反射されなかった遠赤外線が第２反射層により空間内に確実に反射される。また、例えばこの第２反射層が、遠赤外線を輻射する遠赤外線パウダを含ませた不織布に、その不織布よりも外側となるように電磁波遮断シートを貼り合わせて形成された反射シートで構成されることで、遠赤外線パウダを含ませた不織布から遠赤外線が輻射されると共に、輻射された遠赤外線が電磁波遮断シートにより空間内に一層確実に反射される。
【手続補正７】
【補正対象書類名】明細書
【補正対象項目名】００１５
【補正方法】変更
【補正の内容】
【００１５】
また、請求項１に記載の遠赤外線浴装置において、上記周辺壁面及び天井壁面に形成された層は、躯体として機能する木製合板を上記第２反射層よりも外側に更に備えていることにある。
【手続補正８】
【補正対象書類名】明細書
【補正対象項目名】００１６
【補正方法】変更
【補正の内容】
【００１６】
上記のように構成された請求項１に記載の遠赤外線浴装置において、上記周辺壁面及び天井壁面に形成された層には、躯体として機能する木製合板が上記第２反射層よりも外側に更に備えられていることから、上記周辺壁面及び天井壁面の強度が向上する。
【手続補正９】
【補正対象書類名】明細書
【補正対象項目名】００１７
【補正方法】変更
【補正の内容】
【００１７】
また、請求項１に記載の遠赤外線浴装置において、上記周辺壁面及び天井壁面に形成された層は、躯体として機能する第２木製合板を上記セラミック層と上記反射層との間に更に備えていることにある。
【手続補正１０】
【補正対象書類名】明細書
【補正対象項目名】００１８
【補正方法】変更
【補正の内容】
【００１８】
上記のように構成された請求項１に記載の遠赤外線浴装置において、上記周辺壁面及び天井壁面に形成された層には、躯体として機能する第２木製合板が上記セラミック層と上記反射層との間に更に備えられていることから、上記周辺壁面及び天井壁面の強度が一層向上する。
また、請求項１に記載の遠赤外線浴装置において、上記遠赤外線プレートは、上記発熱装置を埋設する為の溝が形成された溝付プレートと、上記床面の表面を形成する為の床部表面プレートとを備えており、上記溝付プレートの上記溝に上記発熱装置が埋設され、該発熱装置が埋設された後に遠赤外線パウダが配合されたセメントを用いて該溝が埋められ、該溝付プレートの上一面に上記床部表面プレートが配設されることで上記遠赤外線プレートが形成されることにある。このように構成された遠赤外線浴装置において、発熱装置が適切に遠赤外線プレート内に埋設されると共にその発熱装置により遠赤外線プレートが適切に暖められる一方で、床部表面プレートのみが床面の表面すなわち外観を構成する。
また、請求項１に記載の遠赤外線浴装置において、上記発熱装置は、ケーブル自体が外気温を感知し自動的に電気量を増減することが可能な自己制御型のヒータである。このように構成された遠赤外線浴装置において、必要な部分に必要量の熱だけ供給して過剰加熱を抑制することが可能となる。
また、請求項１に記載の遠赤外線浴装置において、上記床部断熱層は、断熱板の厚さ方向両面にアルミ箔が貼り合わされた断熱材である。このように構成された遠赤外線浴装置において、輻射された遠赤外線に伴う輻射熱が床部断熱層により確実に反射される。
また、請求項１に記載の遠赤外線浴装置において、上記床面は、上記反射層と同一に構成された床部反射層を上記溝付プレートと上記床部断熱層との間に更に備えていることにある。このように構成された遠赤外線浴装置において、輻射された遠赤外線が床部反射層により空間内に反射される。また、例えばこの床部反射層が、遠赤外線を輻射する遠赤外線パウダを含ませた不織布に、その不織布よりも外側となるように電磁波遮断シートを貼り合わせて形成された反射シートで構成されることで、遠赤外線パウダを含ませた不織布から遠赤外線が輻射されると共に、輻射された遠赤外線が電磁波遮断シートにより空間内に確実に反射される。
これにより、床面を除き、周辺壁面及び天井壁面の温度や空間内の温度分布が略均一となるような所謂空洞放射に近い状態とされる。
【手続補正１１】
【補正対象書類名】明細書
【補正対象項目名】００１９
【補正方法】変更
【補正の内容】
【００１９】
また、好適には、上記セラミック層は、一部分が上記第２木製合板に貼り付けられた複数のセラミック材で形成され、他部分が上記第２木製合板に塗布された遠赤外線パウダの塗り壁で形成されても良い。
【手続補正１２】
【補正対象書類名】明細書
【補正対象項目名】００２０
【補正方法】変更
【補正の内容】
【００２０】
上記のように構成された遠赤外線浴装置において、上記セラミック層は上記第２木製合板に貼り付けられた複数のセラミック材で形成されているものであるが、その一部分においてはセラミック材に替えて上記第２木製合板に塗布された遠赤外線パウダの塗り壁で形成されていることから、セラミック材で形成された部分では遠赤外線プレートから輻射された遠赤外線が反射され、遠赤外線パウダの塗り壁で形成された部分では遠赤外線プレートから輻射された遠赤外線に伴う輻射熱を受けて遠赤外線が輻射される。これにより、単に空間内への反射量だけを見ればセラミック材で形成された部分の方が遠赤外線パウダの塗り壁で形成された部分よりも遠赤外線プレートから輻射された遠赤外線を若干多く反射することになるが、遠赤外線の輻射を含めれば遠赤外線パウダの塗り壁で形成された部分からの方が空間内へ輻射される遠赤外線量が多くなる。尚、セラミック材で形成された部分と遠赤外線パウダの塗り壁で形成された部分とでは空間内への遠赤外線の反射量に差があるが、外側に上記反射層や壁部断熱層や第２反射層を備えているので問題は生じにくい。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
また、好適には、本発明の遠赤外線浴装置は、住宅内の既設の床面上に設けることが可能である。
【手続補正２２】
【補正対象書類名】明細書
【補正対象項目名】００３０
【補正方法】変更
【補正の内容】
【００３０】
上記のように構成された遠赤外線浴装置において、遠赤外線浴装置自体を住宅内の既設の床面上に設けることができることから、住宅内の既設の床面に設置する場合であっても特別な基礎工事等を施すことなく床面と周辺壁面及び天井壁面とに囲まれた空間すなわち遠赤外線浴の為の部屋を簡単に設置することができる。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
以上説明したように、請求項１に記載の発明によれば、遠赤外線プレートから３次元的に輻射された遠赤外線を床面と周辺壁面及び天井壁面とに囲まれた空間内に一層確実に反射すると共により多くの遠赤外線をその空間内に輻射することができて輻射された遠赤外線を外部に漏らすことなく完全遮断に近い状態とすることができ、更に輻射された遠赤外線に伴う輻射熱を確実に反射することができることから、床面を除き、周辺壁面及び天井壁面の温度や空間内の温度分布が略均一となるような所謂空洞放射に近い状態とされるので、輻射された遠赤外線の輻射効率を一層向上することができる。そして、遠赤外線の輻射効率が一層向上された遠赤外線浴装置内において人が遠赤外線を浴びることで、遠赤外線が体内水分子により強く作用し、遠赤外線浴時の空間内温度（室温）が体への負担がより少ない体温に近い温度（例えば３７℃〜４０℃）であっても体内水分子の共振による体温上昇が顕著に現れる。このことにより、血管拡張を促して血流がより良くなり脂肪や重金属などの老廃物が汗と共に排泄されやすくなる。例えば、室温を３７℃〜４０℃に設定した遠赤外線浴時において、１０分程度で発汗現象が顕著に現れ、副交感神経を刺激してリラックスできたり、内臓器官が活発になって下痢・便秘を改善することができたりする効果が期待できたり、遠赤外線浴後に体が軽く感じて爽快感を感じたりすることができるなど、遠赤外線浴時の室温が体温に近い温度であっても遠赤外線効果がより多く得られる。すなわち、輻射された遠赤外線の輻射効率を向上させて遠赤外線浴時の室温を体への負担が少なくなる体温に近い温度とすることができる遠赤外線浴装置が提供される。
また、木製合板及び第２木製合板により上記周辺壁面及び天井壁面の強度が一層向上するので、床面と周辺壁面及び天井壁面とに囲まれた空間すなわち遠赤外線浴の為の部屋を一層簡単に設置することができる。
また、発熱装置が適切に遠赤外線プレート内に埋設されると共にその発熱装置により遠赤外線プレートが適切に暖められる一方で、床部表面プレートのみが床面の表面すなわち外観を構成するので、発熱装置を埋設する際の作業効率が向上すると共に遠赤外線プレートから適切に遠赤外線が輻射される一方で、ユーザは床部表面プレートのみを床面として接触したり見たりすることになりユーザビリティーが向上する。
また、発熱装置としての自己制御型のヒータは必要な部分に必要量の熱だけ供給して過剰加熱を抑制することができるので、見方を換えれば設定温度に対して下がった分の温度だけ上げることができるので、消費電力を抑制することができて経済性が向上する。
また、本発明の遠赤外線浴装置においては、自己制御型のヒータの作動時には室内の湿度が２０％程度の乾燥状態となることから、遠赤外線浴時には加湿器を併用して湿度を６０％程度に維持すればよりリラックスした環境が得られる。また、遠赤外線浴時以外の時にも自己制御型のヒータを作動させて乾燥状態を維持すれば、雑菌の繁殖を抑制することができる。
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】変更
【補正の内容】
【００３９】
また、本発明によれば、セラミック層においてセラミック材で形成された部分では遠赤外線プレートから輻射された遠赤外線が反射され、遠赤外線パウダの塗り壁で形成された部分では遠赤外線プレートから輻射された遠赤外線に伴う輻射熱を受けて遠赤外線が輻射されるので、より多くの遠赤外線を床面と周辺壁面及び天井壁面とに囲まれた空間内に輻射することができる。
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】変更
【補正の内容】
【００４４】
また、本発明によれば、住宅内の既設の床面に設置する場合であっても特別な基礎工事等を施すことなく遠赤外線浴の為の部屋を簡単に設置することができるので、遠赤外線効果がより多く得られる遠赤外線浴装置が簡単な工事で提供される。
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
上層部一面に配設されて遠赤外線を輻射する遠赤外線プレートと、該遠赤外線プレートに埋設されて該遠赤外線プレートを暖める発熱装置と、上記遠赤外線プレートの下一面に配設されて該遠赤外線プレートから輻射される遠赤外線に伴う輻射熱を反射する為の床部断熱層とから形成された床面と、
上記遠赤外線プレートから輻射される遠赤外線を反射する為の層が形成された周辺壁面及び天井壁面とに囲まれ、上記床面と上記周辺壁面及び天井壁面とに囲まれた空間内に遠赤外線を浴びせられる遠赤外線浴装置において、
上記周辺壁面及び天井壁面に形成された層は、
上記空間内側から外側方向へ順に、
上記遠赤外線プレートから輻射される遠赤外線を反射する為のセラミック層と、
躯体として機能する木製合板と、
遠赤外線を輻射する遠赤外線パウダを含ませた不織布と該不織布よりも外側に備えられた電磁波遮断シートとを貼り合わせて形成された反射シートであって、上記セラミック層にて反射されなかった上記遠赤外線を反射する為の反射層と、
断熱板の厚さ方向両面にアルミ箔が貼り合わされた断熱材であって、上記遠赤外線に伴う輻射熱を反射する為の壁部断熱層と、
上記反射層と同一に構成された第２反射層と、
躯体として機能する第２木製合板とを、備えていると共に、
上記遠赤外線プレートは、
上記発熱装置を埋設する為の溝が形成された溝付プレートと、上記床面の表面を形成する為の床部表面プレートとを備え、上記溝付プレートの上記溝に上記発熱装置としてケーブル自体が外気温を感知し自動的に電気量を増減することが可能な自己制御型のヒータが埋設され、該発熱装置が埋設された後に遠赤外線パウダが配合されたセメントを用いて該溝が埋められ、該溝付プレートの上一面に上記床部表面プレートが配設されることで形成されており、
上記床部断熱層は、上記壁部断熱層と同一に構成された断熱材であり、
上記床面は、上記反射層と同一に構成された床部反射層を上記溝付プレートと上記床部断熱層との間に更に備えていることを特徴とする遠赤外線浴装置。
【請求項２】
上記セラミック層は、一部分が上記木製合板に貼り付けられた複数のセラミック材で形成され、他部分が上記木製合板に塗布された遠赤外線パウダの塗り壁で形成されていることを特徴とする請求項１に記載の遠赤外線浴装置。
【請求項３】
住宅内の既設の床面上に設けることが可能であることを特徴とする請求項１または２に記載の遠赤外線浴装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
また、請求項１に記載の遠赤外線浴装置において、上記周辺壁面及び天井壁面に形成された層は、躯体として機能する木製合板を上記セラミック層と上記反射層との間に更に備えていることにある。
また、請求項１に記載の遠赤外線浴装置において、上記周辺壁面及び天井壁面に形成された層は、躯体として機能する第２木製合板を上記第２反射層よりも外側に更に備えていることにある。
【手続補正５】
【補正対象書類名】明細書
【補正対象項目名】００１８
【補正方法】変更
【補正の内容】
【００１８】
上記のように構成された請求項１に記載の遠赤外線浴装置において、上記周辺壁面及び天井壁面に形成された層には、躯体として機能する木製合板が上記セラミック層と上記反射層との間に更に備えられ、且つ躯体として機能する第２木製合板が上記第２反射層よりも外側に更に備えられていることから、上記周辺壁面及び天井壁面の強度が一層向上する。
また、請求項１に記載の遠赤外線浴装置において、上記遠赤外線プレートは、上記発熱装置を埋設する為の溝が形成された溝付プレートと、上記床面の表面を形成する為の床部表面プレートとを備えており、上記溝付プレートの上記溝に上記発熱装置が埋設され、該発熱装置が埋設された後に遠赤外線パウダが配合されたセメントを用いて該溝が埋められ、該溝付プレートの上一面に上記床部表面プレートが配設されることで上記遠赤外線プレートが形成されることにある。このように構成された遠赤外線浴装置において、発熱装置が適切に遠赤外線プレート内に埋設されると共にその発熱装置により遠赤外線プレートが適切に暖められる一方で、床部表面プレートのみが床面の表面すなわち外観を構成する。
また、請求項１に記載の遠赤外線浴装置において、上記発熱装置は、ケーブル自体が外気温を感知し自動的に電気量を増減することが可能な自己制御型のヒータである。このように構成された遠赤外線浴装置において、必要な部分に必要量の熱だけ供給して過剰加熱を抑制することが可能となる。
また、請求項１に記載の遠赤外線浴装置において、上記床部断熱層は、断熱板の厚さ方向両面にアルミ箔が貼り合わされた断熱材である。このように構成された遠赤外線浴装置において、輻射された遠赤外線に伴う輻射熱が床部断熱層により確実に反射される。
また、請求項１に記載の遠赤外線浴装置において、上記床面は、上記反射層と同一に構成された床部反射層を上記溝付プレートと上記床部断熱層との間に更に備えていることにある。このように構成された遠赤外線浴装置において、輻射された遠赤外線が床部反射層により空間内に反射される。また、例えばこの床部反射層が、遠赤外線を輻射する遠赤外線パウダを含ませた不織布に、その不織布よりも外側となるように電磁波遮断シートを貼り合わせて形成された反射シートで構成されることで、遠赤外線パウダを含ませた不織布から遠赤外線が輻射されると共に、輻射された遠赤外線が電磁波遮断シートにより空間内に確実に反射される。
これにより、床面を除き、周辺壁面及び天井壁面の温度や空間内の温度分布が略均一となるような所謂空洞放射に近い状態とされる。
【手続補正６】
【補正対象書類名】明細書
【補正対象項目名】００１９
【補正方法】変更
【補正の内容】
【００１９】
また、好適には、上記セラミック層は、一部分が上記木製合板に貼り付けられた複数のセラミック材で形成され、他部分が上記木製合板に塗布された遠赤外線パウダの塗り壁で形成されても良い。
【手続補正７】
【補正対象書類名】明細書
【補正対象項目名】００２０
【補正方法】変更
【補正の内容】
【００２０】
上記のように構成された遠赤外線浴装置において、上記セラミック層は上記木製合板に貼り付けられた複数のセラミック材で形成されているものであるが、その一部分においてはセラミック材に替えて上記木製合板に塗布された遠赤外線パウダの塗り壁で形成されていることから、セラミック材で形成された部分では遠赤外線プレートから輻射された遠赤外線が反射され、遠赤外線パウダの塗り壁で形成された部分では遠赤外線プレートから輻射された遠赤外線に伴う輻射熱を受けて遠赤外線が輻射される。これにより、単に空間内への反射量だけを見ればセラミック材で形成された部分の方が遠赤外線パウダの塗り壁で形成された部分よりも遠赤外線プレートから輻射された遠赤外線を若干多く反射することになるが、遠赤外線の輻射を含めれば遠赤外線パウダの塗り壁で形成された部分からの方が空間内へ輻射される遠赤外線量が多くなる。尚、セラミック材で形成された部分と遠赤外線パウダの塗り壁で形成された部分とでは空間内への遠赤外線の反射量に差があるが、外側に上記反射層や壁部断熱層や第２反射層を備えているので問題は生じにくい。
【手続補正８】
【補正対象書類名】明細書
【補正対象項目名】００５４
【補正方法】変更
【補正の内容】
【００５４】
（３）周辺壁面及び天井壁面の構成
図７は、周辺壁面３０及び天井壁面４０周辺の断面を示す部分拡大図である。尚、天井壁面４０については周辺壁面３０と同じ構成であるので、図７においてはその断面の詳細な図示を省略してある。図７において、周辺壁面３０及び天井壁面４０は、床面２０、周辺壁面３０、及び天井壁面４０に囲まれた空間内側から外側方向へ順に、遠赤外線プレート２１から輻射された遠赤外線を反射する為のセラミック層３１と、躯体として機能する木製合板３６と、セラミック層３１にて反射されなかった遠赤外線を反射する為の反射層３２と、輻射された遠赤外線に伴う輻射熱を反射する為の壁部断熱層３３と、反射層３２と同一に構成された第２反射層３４と、躯体として機能する第２木製合板３５とを備える層から形成されている。
【手続補正９】
【補正対象書類名】明細書
【補正対象項目名】００５５
【補正方法】変更
【補正の内容】
【００５５】
セラミック層３１は、例えば１片が厚さ5mm×巾300mm×長さ300mm程度のタイルであるセラミック材３１ａが木製合板３６上一面に複数貼り付けられることで形成されるが、天井壁面４０と周辺壁面３０の最上部及び最下部（腰部）とにおいては木製合板３６に複数のセラミック材３１ａが貼り付けられることで形成され、周辺壁面３０の中段部（腰上部）においては木製合板３６に塗布された遠赤外線パウダの塗り壁である遠赤外線パウダ壁３１ｂで形成されても良い。こうすることで、セラミック材３１ａで形成された部分では遠赤外線プレート２１から輻射された遠赤外線が反射され、遠赤外線パウダ壁３１ｂで形成された部分では遠赤外線プレート２１から輻射された遠赤外線に伴う輻射熱を受けて遠赤外線が輻射される。これにより、単に空間内への遠赤外線の反射量だけを見ればセラミック材３１ａで形成された部分の方が遠赤外線パウダ壁３１ｂで形成された部分よりも遠赤外線プレート２１から輻射された遠赤外線を若干多く反射することになるが、遠赤外線パウダ壁３１ｂ自体の遠赤外線の輻射を含めれば遠赤外線パウダ壁３１ｂで形成された部分からの方が空間内へ輻射される遠赤外線量が多くなる。尚、セラミック材３１ａで形成された部分と遠赤外線パウダ壁３１ｂで形成された部分とでは空間内への遠赤外線の反射量に差があるが、外側に反射層３２や壁部断熱層３３や第２反射層３４を備えているので問題は生じにくい。また、セラミック材３１ａは、意匠面でもあることから部分により色を変えたり、周辺壁面３０の最上部と最下部（腰部）とで材質を変えるなどしても良い。
【手続補正１０】
【補正対象書類名】明細書
【補正対象項目名】００５６
【補正方法】変更
【補正の内容】
【００５６】
第２木製合板３５および木製合板３６は、例えば厚さ10〜15mm×巾900mm×長さ1800mm程度のベニヤ板であり、ＪＡＳ規格でＦ☆☆☆☆のものを使用するのが望ましい。第２木製合板３５を備えることで周辺壁面３０及び天井壁面４０の強度が向上することはもちろんであるが、木製合板３６を更に備えることで周辺壁面３０及び天井壁面４０の強度が一層向上すると共に、セラミック材３１ａを貼り付け易くなったり遠赤外線パウダを塗布し易くなってセラミック層３１を形成する作業効率が向上する。
【手続補正１１】
【補正対象書類名】明細書
【補正対象項目名】００６０
【補正方法】変更
【補正の内容】
【００６０】
扉５０は、例えば巾600mm×高さ1500mm程度の大きさである。扉５０は、周辺壁面３０及び天井壁面４０と同様に構成されているので、その説明については省略する。但し、扉５０には躯体としての機能を有する必要はなく、扉としての外観を重視するという観点から、セラミック層３１を備えないと共に、意匠面となる第２木製合板３５および木製合板３６に替えて例えば木製無垢材を用いても良い。尚、反射層３２や壁部断熱層３３や第２反射層３４を備えているのでセラミック層３１を備えないことによる問題は生じにくい。
【手続補正１２】
【補正対象書類名】明細書
【補正対象項目名】００６８
【補正方法】変更
【補正の内容】
【００６８】
また、本実施例によれば、第２木製合板３５により周辺壁面３０及び天井壁面４０の強度が向上するので、遠赤外線浴装置１０すなわち遠赤外線浴の為の部屋を簡単に設置することができる。
【手続補正１３】
【補正対象書類名】明細書
【補正対象項目名】００６９
【補正方法】変更
【補正の内容】
【００６９】
また、本実施例によれば、木製合板３６により周辺壁面３０及び天井壁面４０の強度が一層向上するので、遠赤外線浴装置１０を一層簡単に設置することができる。また、木製合板３６を備えることでセラミック層３１を形成する作業効率が向上する。
【手続補正１４】
【補正対象書類名】明細書
【補正対象項目名】００７７
【補正方法】変更
【補正の内容】
【００７７】
例えば、前述の実施例では、周辺壁面３０及び天井壁面４０は、セラミック層３１と木製合板３６と反射層３２と壁部断熱層３３と第２反射層３４と第２木製合板３５とから形成されていたが、少なくともセラミック層３１と反射層３２と壁部断熱層３３とを備えておれば、輻射された遠赤外線の輻射効率を向上する一定の効果は得られる。同様に、扉５０は、少なくとも反射層３２と壁部断熱層３３とを備えておれば、輻射された遠赤外線の輻射効率を向上する一定の効果は得られる。
【手続補正１５】
【補正対象書類名】明細書
【補正対象項目名】００８０
【補正方法】変更
【補正の内容】
【００８０】
また、前述の実施例では、周辺壁面３０及び天井壁面４０には躯体として機能する第２木製合板３５および木製合板３６を備えていたが、必ずしも合板でなくてもよく、躯体として機能する板材であれば良い。例えば、合板におけるホルムアルデヒドの放散を考慮すれば、特に遠赤外線浴装置１０内側に備えられた木製合板３６については石膏ボード等を用いても良い。
【手続補正１６】
【補正対象書類名】明細書
【補正対象項目名】００８３
【補正方法】変更
【補正の内容】
【００８３】
１０：遠赤外線浴装置
２０：床面
２１：遠赤外線プレート
２２：発熱装置、ＰＣＴヒータ（自己制御型のヒータ）
２３：床部断熱層（断熱材）
２３ａ：断熱板
２３ｂ：アルミ箔
２４：床部反射層
２５：溝付プレート
２５ａ：溝
２６：床部表面プレート
２７：セメント
３０：周辺壁面
３１：セラミック層
３１ａ：セラミック材
３１ｂ：遠赤外線パウダ壁（遠赤外線パウダの塗り壁）
３２：反射層（反射シート）
３２ａ：不織布
３２ｂ：電磁波遮断シート
３３：壁部断熱層（断熱材）
３３ａ：断熱板
３３ｂ：アルミ箔
３４：第２反射層
３５：第２木製合板
３６：木製合板
４０：天井壁面
１００：既設の床面